(57)【要約】      （修正有）【課題】養殖場監視を行うための養殖場監視システムを提供する。【解決手段】所定の養殖場を含む所定の海領域に侵入する未確認船舶を捜し出すアルファレーダー１００と、養殖場を含む所定の海領域に設置され、方向転換可能なＣＣＴＶカメラ１１０と、養殖場を含む所定の海領域に設置され、方向転換が可能で、夜間に人を識別するための熱画像カメラ１２０と、養殖場の水中に設けている網に装着され、養殖場の水中の動きを感知する水中超音波センサー１３０、及びアルファレーダーから提供される未確認船舶位置情報を分析し、養殖場を含む所定の海領域に未確認船舶の侵入と判断するか、または水中超音波センサーから動き感知信号が提供されると、侵入状況の発生と判断し、未確認船舶の航跡及び養殖場の水中の動きを追跡し、侵入状況表示部１７０に表示し、保存部１８０に記録し、警告放送部１４０を介して警告放送する監視制御部１６０とを含む。【選択図】図１
2015133099.tif 000002
【特許請求の範囲】
【請求項１】
所定の養殖場を含む所定の海領域に侵入する未確認船舶を捜し出すアルファレーダー１００と、
前記養殖場を含む所定の海領域に設置され、方向転換が可能なＣＣＴＶカメラ１１０と、
前記養殖場を含む所定の海領域に設置され、方向転換が可能であり、夜間に人を識別するための熱画像カメラ１２０と、
前記養殖場の水中に設置された網に装着され、前記養殖場の水中の動きを感知する水中超音波センサー１３０と、
前記アルファレーダー１００から提供される未確認船舶位置情報を分析し、前記養殖場を含む所定の海領域に未確認船舶が侵入したと判断するか、または前記水中超音波センサー１３０から動き感知信号が提供される場合、侵入状況の発生と判断し、未確認船舶の航跡及び前記養殖場の水中の動きを追跡し、侵入状況表示部１７０に表示し、保存部１８０に記録し、警告放送部１４０を介して警告放送する監視制御部１６０と、
を含むことを特徴とする、養殖場監視システム。
【請求項２】
前記監視制御部１６０は、前記アルファレーダー１００、ＣＣＴＶカメラ１１０、熱画像カメラ１２０、水中超音波センサー１３０、及び警告放送部１４０のいずれか一つ以上と無線で接続されたことを特徴とする、請求項１に記載の養殖場監視システム。
【請求項３】
前記監視制御部１６０は、侵入状況の発生時、前記ＣＣＴＶカメラ１１０及び熱画像カメラ１２０を侵入する未確認船舶側に方向転換し、前記ＣＣＴＶカメラ１１０が撮影した映像または熱画像カメラ１２０が人を識別した映像を前記侵入状況表示部１７０に表示し、前記保存部１８０に記録することを特徴とする、請求項１に記載の養殖場監視システム。
【請求項４】
前記監視制御部１６０は、侵入状況の発生時、前記警告放送を自動で行うか、あるいはキー入力部１５０から提供される使用者のキー操作によって手動で行うことを特徴とする、請求項１に記載の養殖場監視システム。
【請求項５】
前記監視制御部１６０は、侵入状況の発生時、侵入状況の発生を知らせるためのメッセージを既設置されたＲＦモジュールを介して所定の携帯電話に伝送することを特徴とする、請求項１に記載の養殖場監視システム。
【請求項６】
前記ＲＦモジュールはＣＤＭＡ ＲＦモジュールであり、前記携帯電話はＣＤＭＡ携帯電話であることを特徴とする、請求項５に記載の養殖場監視システム。
【発明の詳細な説明】
【技術分野】
【０００１】
本発明は養殖場監視システムに関し、詳しくは、養殖場を含む所定の海領域に未確認船舶が侵入するか、または養殖場の水中で動きが感知される場合、侵入状況の発生と判断して、未確認船舶の航跡及び養殖場の水中の動きを追跡記録し、警告放送し、侵入状況の発生を知らせるためのメッセージを所定の携帯電話に伝送することにより、養殖場の監視を確実に行うための養殖場監視システムに関するものである。
【背景技術】
【０００２】
特許文献１の「養殖場監視装置」は、養殖場監視装置において、養殖場監視用水中カメラ３０と、前記養殖場監視用水中カメラ３０を水中に設置するためのカメラ固定用ポスト３６と、前記水中カメラ３０で撮影した画像データの伝送と前記水中カメラ３０の動作を制御する受像コントローラー３２と、前記水中カメラ３０で撮影した画像データを無線で伝送するＲＦ伝送部３３と、前記受像コントローラー３２及び前記ＲＦ伝送部３２に電源を供給する電源供給部３５とを含んでなることを特徴とする。
【０００３】
しかし、このような従来の技術による「養殖場監視装置」は、養殖場の水中のみ監視して、水中カメラの可視距離が非常に短いため、養殖場を監視するのに限界がある。
【０００４】
したがって、養殖場を、水中の短距離だけではなく、遠距離でも超音波によって水中感知を行うとともに養殖場に近付く船舶をアルファレーダーで追跡管理し、必要時に警告放送を行い、養殖場侵入状況の発生を知らせるためのメッセージを所定の携帯電話に伝送して養殖場監視を確実に行わなければならない必要性がある。
【先行技術文献】
【特許文献】
【０００５】
【特許文献１】大韓民国公開特許第１０−２００５−００３８９２９号明細書（公開日：２００５年０４月２９日）
【発明の概要】
【発明が解決しようとする課題】
【０００６】
本発明は、前述のような課題を解決するためになされたもので、養殖場を含む所定の海領域に未確認船舶が侵入するか、または養殖場の水中で動きが感知される場合、侵入状況の発生と判断し、未確認船舶の航跡及び養殖場の水中の動きを追跡記録し、警告放送し、侵入状況の発生を知らせるためのメッセージを所定の携帯電話に伝送することで、養殖場監視を確実に行うための養殖場監視システムを提供することにその目的がある。
【課題を解決するための手段】
【０００７】
このような目的を達成するために、本発明の一様態によると、所定の養殖場を含む所定の海領域に侵入する未確認船舶を捜し出すアルファレーダーと、前記養殖場を含む所定の海領域に設置され、方向転換が可能なＣＣＴＶカメラと、前記養殖場を含む所定の海領域に設置され、方向転換が可能で、夜間に人を識別するための熱画像カメラと、前記養殖場の水中に設置された網に装着され、前記養殖場の水中の動きを感知する水中超音波センサーと、前記アルファレーダーから提供される未確認船舶位置情報を分析し、前記養殖場を含む所定の海領域に未確認船舶が侵入したと判断するかまたは前記水中超音波センサーから動き感知信号が提供される場合、侵入状況の発生と判断して、未確認船舶の航跡及び前記養殖場の水中の動きを追跡し、侵入状況表示部に表示し、保存部に記録し、警告放送部を介して警告放送する監視制御部とを含むことを特徴とする。
【０００８】
前記監視制御部は、前記アルファレーダー、ＣＣＴＶカメラ、熱画像カメラ、水中超音波センサー、及び警告放送部のいずれか一つ以上と無線で接続することができる。
【０００９】
前記監視制御部は、侵入状況の発生時、前記ＣＣＴＶカメラ及び熱画像カメラを侵入する未確認船舶側に方向を転換し、前記ＣＣＴＶカメラが撮影した映像または熱画像カメラが識別した人の映像を前記侵入状況表示部に表示して前記保存部に記録することができる。
【００１０】
前記監視制御部は、侵入状況の発生時、前記警告放送を自動で行うか、あるいはキー入力部から提供される使用者のキー操作によって手動で行うことができる。
【００１１】
前記監視制御部は、侵入状況の発生時、侵入状況の発生を知らせるためのメッセージを、既設置されたＲＦモジュールを介して所定の携帯電話に伝送することができる。
【００１２】
前記ＲＦモジュールはＣＤＭＡ端末のＲＦモジュールであってもよく、前記携帯電話はＣＤＭＡ携帯電話であってもよい。
【発明の効果】
【００１３】
本発明は、養殖場を含む所定の海領域に未確認船舶が侵入するか、または養殖場の水中で動きが感知される場合、侵入状況の発生と判断し、未確認船舶の航跡及び養殖場の水中の動きを追跡記録し、警告放送し、侵入状況の発生を知らせるためのメッセージを所定の携帯電話に伝送するので、養殖場監視を確実に行える効果がある。
【図面の簡単な説明】
【００１４】
【図１】本発明による養殖場監視システムの一実施例を示すブロック図である。
【発明を実施するための形態】
【００１５】
以下、添付の図面に基づいて本発明による実施例を詳細に説明する。
【００１６】
図１は、本発明による養殖場監視システムの一実施例を示すブロック図である。本発明の養殖場監視システムは、アルファレーダー１００、ＣＣＴＶカメラ１１０、熱画像カメラ１２０、水中超音波センサー１３０、警告放送部１４０、キー入力部１５０、監視制御部１６０、侵入状況表示部１７０、及び保存部１８０からなる。
【００１７】
このように構成された本発明を詳細に説明すると、次の通りである。
【００１８】
図１において、アルファレーダー１００は、所定の養殖場を含む所定の海領域に侵入する未確認船舶を捜し出す。この際、アルファレーダー１００は捜し出した船舶の航跡を追跡することができる。
【００１９】
ＣＣＴＶカメラ１１０は、養殖場を含む所定の海領域に設置され、方向転換が可能である。
【００２０】
熱画像カメラ１２０は、養殖場を含む所定の海領域に設置され、方向転換が可能であり、夜間に人を識別することができる。この際、熱画像カメラ１２０は人の熱放射を電子的に測定して記録して作られる映像を撮影することができる。
【００２１】
水中超音波センサー１３０は、養殖場の水中に設置された網に装着され、養殖場の水中の動きを感知する。この際、水中超音波センサー１３０の感度を調節することで、水中の微細な動きは無視し、人の動きを感知するように設定する必要がある。
【００２２】
監視制御部１６０は、アルファレーダー１００から提供される未確認船舶位置情報を分析し、養殖場を含む所定の海領域に未確認船舶が侵入したと判断されるか、または水中超音波センサー１３０から動き感知信号が提供される場合、侵入状況の発生と判断し、未確認船舶の航跡及び養殖場の水中の動きを追跡し、侵入状況表示部１７０によって電子海図上に表示し、保存部１８０に記録し、警告放送部１４０を介して警告放送をする。この際、警告放送用の音源は、警告放送部１４０または監視制御部１６０に設定しておくことができる。警告放送部１４０は、警告性音声信号を増幅しスピーカーを介して出力することにより、警告性音声が遠くまで到達するようにする。
【００２３】
監視制御部１６０は、アルファレーダー１００、ＣＣＴＶカメラ１１０、熱画像カメラ１２０、水中超音波センサー１３０、及び警告放送部１４０のいずれか一つ以上と無線で遠隔接続することで、遠隔地で養殖場を監視することができる。
【００２４】
監視制御部１６０は、侵入状況の発生時、ＣＣＴＶカメラ１１０及び熱画像カメラ１２０を侵入中の未確認船舶側に方向転換し、ＣＣＴＶカメラ１１０が撮影した映像または熱画像カメラ１２０が人を識別した映像を侵入状況表示部１７０に表示して保存部１８０に記録する。
【００２５】
監視制御部１６０は、侵入状況の発生時、警告放送を自動で行うかあるいはキー入力部１５０から提供される使用者のキー操作によって手動で行われる。
【００２６】
監視制御部１６０は、侵入状況の発生時、侵入状況の発生を知らせるためのメッセージを既設置のＣＤＭＡ端末のＲＦモジュールを介して所定のＣＤＭＡ携帯電話に伝送する。ＣＤＭＡ携帯電話間の通信サービスを行う技術は公知のものなので説明を省略する。
【００２７】
このように本発明は、養殖場を含む所定の海領域に未確認船舶が侵入するかまたは養殖場の水中で動きが感知される場合、侵入状況の発生と判断し、未確認船舶の航跡及び養殖場の水中の動きを追跡記録し、警告放送し、侵入状況の発生を知らせるためのメッセージを所定の携帯電話に伝送するので、養殖場の監視が確実に行われる利点がある。
【００２８】
以上、本発明の技術思想を添付図面に基づいて説明したが、これは本発明の好適な実施例を例示的に説明したもので、本発明を限定するものではない。また、当該技術分野の通常の知識を持つ者であれば、本発明の技術思想を離脱しない範疇内で多様な変形及び改良が可能であるのは明らかな事実である。
【産業上の利用可能性】
【００２９】
本発明は、養殖場監視を確実に行うための養殖場監視システムに適用可能である。
【符号の説明】
【００３０】
１００    アルファレーダー
１１０    ＣＣＴＶカメラ
１２０    熱画像カメラ
１３０    水中超音波センサー
１４０    警告放送部
１５０    キー入力部
１６０    監視制御部
１７０    侵入状況表示部
１８０    保存部
【図１】
2015133099.tif 000003